(57)【要約】【課題】紙を二つ折りにして簡易製本する紙折り装置において、冊子の膨らみを抑制する。【解決手段】相互に接触する一対のピンチローラ12の間へ紙Pの中央部を挿入し、一対のピンチローラを回転駆動することにより紙を折畳んで二つ折り冊子を成形する紙折り装置において、紙排出側の紙テーブル13上を横方向へ転動するローラ14を設ける。ピンチローラによってプレスされた二つ折り冊子が紙テーブル上に排出されるとローラが二つ折り冊子の折り曲げ部分を転圧しながら紙テーブルを横断する。これにより、二つ折り冊子がより平坦にプレスされて見栄えよく仕上がり、積み重ねた冊子が崩れる虞も減少する。【選択図】  図１
2004196523.tif 000002
【特許請求の範囲】
【請求項１】
相互に接触する一対のピンチローラの間へ紙の中央部を挿入し、一対のピンチローラを回転駆動することにより紙を折畳んで二つ折り冊子を成形する紙折り装置において、
前記ピンチローラの紙排出側に配置した紙テーブルと、紙排出側に配置したローラ及び前記ローラをピンチローラの軸心と平行に移動させるローラ移動機構を設け、前記ローラを紙テーブル上の二つ折り冊子の折り目部分へ圧接させて紙テーブルを横断させることを特徴とする紙折り装置。
【請求項２】
上記ローラは円板ローラである請求項1記載の紙折り装置。
【請求項３】
上記ローラの軸心とピンチローラの軸心との角度が非直角である請求項1または2記載の紙折り装置。
【請求項４】
相互に接触する一対のピンチローラの間へ紙の中央部を挿入し、一対のピンチローラを回転駆動することにより紙を折畳んで二つ折り冊子を成形する紙折り装置において、
前記ピンチローラの紙排出側に配置した紙テーブルと、紙排出側に紙テーブルに対して水平に配置したローラ及び前記ローラをピンチローラの軸心と平行に移動させるローラ移動機構を設け、前記ローラを紙テーブル上の二つ折り冊子の背へ圧接させて紙テーブルを横断させることを特徴とする紙折り装置。
【請求項５】
上記紙テーブル上の二つ折り冊子へ圧接して固定するクランプを設け、ピンチローラから排出された二つ折り冊子を前記クランプにより固定した後に上記水平ローラを転動させるように構成した請求項４記載の紙折り装置。
【発明の詳細な説明】
【０００１】
【発明の属する技術分野】
この発明は、中綴じした紙を二つ折りして冊子を製本する紙折り装置に関するものであり、特に、冊子をより平坦に成形するようにした紙折り装置に関するものである。
【０００２】
【従来の技術】
複数枚の紙をステープルなどで中綴じしたものを二つ折りにして冊子形態に加工する紙折り装置は幾種類かの構成のものが知られているが、図8及び図9に示すように一対のピンチローラ1により紙Pを挟んで二つ折りにする紙折り装置が一般的である（例えば特許文献１参照）。この種の紙折り装置は、紙送り機構（図示せず）が紙Pの中心線を一対のローラ1の接線に位置合わせし、可動ブレード（図示せず）が紙Pの中心を一対のローラ1の間に押し込むことにより、回転する一対のローラ1が紙を二つに折畳んで前方へ排出するように構成されている。
【０００３】
【特許文献１】特開平11-348451号公報（段落番号0020、0021）
【０００４】
【発明が解決しようとする課題】
一対のローラの間に紙を二つ折りにして挿入し、回転する一対のローラにより紙に折り目を付けるピンチローラ式の紙折り装置は、ページ数が少ない場合や紙が薄手で全体の厚さが薄い場合には問題のない仕上がりが得られる。しかし、紙の折曲げ部位がピンチローラの間を一回通過するのみであるので、ページ数が多い場合や厚手の紙の場合はプレスの程度が不足して図9のように紙Pの各頁が湾曲して膨らんだ状態となって見栄えが悪く、積み重ねた冊子が崩れたりすることもあって取扱い性がよくないという問題がある。そこで、紙の枚数や厚さにかかわらず冊子の膨らみを抑制して平坦な仕上がりが得られるようにするために解決すべき技術的課題が生じてくるのであり、本発明は上記課題を解決することを目的とする。
【０００５】
【課題を解決するための手段】
この発明は、上記目的を達成するために提案するものであり、相互に接触する一対のピンチローラの間へ紙の中央部を挿入し、一対のピンチローラを回転駆動することにより紙を折畳んで二つ折り冊子を成形する紙折り装置において、前記ピンチローラの紙排出側に配置した紙テーブルと、紙排出側に配置したローラ及び前記ローラをピンチローラの軸心と平行に移動させるローラ移動機構を設け、前記ローラを紙テーブル上の二つ折り冊子の折り目部分へ圧接させて紙テーブルを横断させることを特徴とする紙折り装置を提供するものである。
【０００６】
また、上記ローラは円板ローラである紙折り装置を提供するものである。
また、上記ローラの軸心とピンチローラの軸心との角度が非直角である紙折り装置を提供するものである。
【０００７】
また、相互に接触する一対のピンチローラの間へ紙の中央部を挿入し、一対のピンチローラを回転駆動することにより紙を折畳んで二つ折り冊子を成形する紙折り装置において、前記ピンチローラの紙排出側に配置した紙テーブルと、紙排出側に紙テーブルに対して水平に配置したローラ及び前記ローラをピンチローラの軸心と平行に移動させるローラ移動機構を設け、前記ローラを紙テーブル上の二つ折り冊子の背へ圧接させて紙テーブルを横断させることを特徴とする紙折り装置を提供するものである。
【０００８】
また、上記紙テーブル上の二つ折り冊子へ圧接して固定するクランプを設け、ピンチローラから排出された二つ折り冊子を前記クランプにより固定した後に上記水平ローラを転動させるように構成した紙折り装置を提供するものである。
【０００９】
【発明の実施の形態】
以下、この発明の実施の一形態を図に従って詳述する。図1において11は紙ガイド、12は一対のピンチローラ、13はピンチローラにより折畳まれて送り出されてくる紙を受ける紙テーブルである。紙ガイド11には紙Pをピンチローラ12へ送り出すための長穴が形成されていて、紙ガイド11に対して直角に配置されたプッシュブレード（図示せず）が紙ガイド11上の紙Pの中心を押して一対のピンチローラ12の間へ送り込む。紙テーブル13の上方に配置したローラ14はローラ駆動機構（図示せず）によって紙テーブル13上を横方向へ転動し、紙テーブル13の横に退避した初期位置（図2において下）から紙テーブル13を横断して通過した終止位置との間を往復する。ピンチローラ12は制御装置によって回転量を制御され、プッシュブレード（図示せず）によって送り込まれた紙Pを二つ折りにして紙テーブル13上へ送り出し、二つ折りにした紙Pの先端がローラ14の両端間の位置にきたときに紙送りを停止する。そして、制御装置がピンチローラ停止後にローラ14を駆動し、図1及び図2に示すようにローラ14は紙Pの折り曲げ部位の側面に乗上げて紙上を通過するまで転動し、紙Pの折り曲げ部位をプレスする。このようにピンチローラ12により一回プレスされた紙Pをさらに紙テーブル13とローラ14とによって挟み、ローラ14が折り曲げ部位を転圧するので、従来の紙折り装置よりも紙を平坦にプレスすることができる。尚、ローラ14の転動行程は一回でも一往復でもよく、また紙の枚数や紙厚などの情報により一回プレスと一往復プレスとを切換えるようにしてもよい。
【００１０】
図3は水平面上のローラ14の向きをローラ14の移動方向に対して変位させた例を示し、紙Pの上に乗る側に対して紙Pの範囲外に出る側が遅れて移動するようにローラ14を斜めに向けることによって、ローラ14と紙Pとの摩擦で紙Pが前方（図において右）へ引っ張られ、紙Pに引っ張りテンションがかかった状態でプレスすることになり、折皺がなくよりきれいな仕上がりが期待できる。
【００１１】
図4及び図5においては、円板ローラ15を紙テーブル13の上方に配置しており、円板ローラ15は図2のローラ14と同様に紙テーブル13の横に退避した初期位置（図5において左）から紙テーブル13を横断して通過した終止位置との間を往復する。制御装置は、二つ折りにした紙Pの先端が円板ローラ15の軌道をやや通り越した位置で紙送りを停止する。そして、ピンチローラ12を停止後に円板ローラ15を駆動して、図5に示すように紙Pの折り曲げ部位の側面に乗上げて紙上を通過させるまで転動し、紙の折り曲げ部位を円板ローラ15によってプレスする。線接触のローラ14に対して円板ローラ15はほぼ点接触であるので、紙Pへの圧力が強化されて大きいプレス効果が得られる。
【００１２】
図6及び図7は、紙テーブル13の前部に縦軸形の水平ローラ16を配置し、紙テーブル13の上方に昇降式のクランプ17を配置した例を示している。水平ローラ16は、前述した実施形態のローラ14, 15と同様にローラ駆動機構により横退避位置から紙テーブル13上を横方向へ転動する。制御装置は、二つ折りにした紙の先端が水平ローラ16の外周面位置をやや通り越した位置で紙送りを停止する。そして、ピンチローラ12を停止後にクランプ17を下降して紙テーブル13上の紙Pの先端部近傍をクランプし、水平ローラ16を駆動して紙Pの折り曲げ部位の先端面をプレスする。水平ローラ16の周面が紙へ直角に圧接することにより冊子の背が角型に成形されて、背部分と表紙とが直角以上に折り曲げられることになり、特に冊子の膨らみを抑える効果が大きく、厚手の紙や紙枚数の多い場合に有効である。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
以上説明したように、本発明の紙折り装置は一対のピンチローラによる従来のプレス機構に加えて、冊子の折り曲げ部位に沿って転圧するローラ機構を設けたので、二つ折り冊子がより平坦にプレスされて見栄えよく仕上がり、膨らみが減少することにより積み重ねた場合に崩れる虞が低下して取扱い性が向上する。
【００１５】
また、円板型のローラを用いることによりプレス圧力を強化でき、ローラ駆動機構の軽量化が可能である。また、ピンチローラの軸心に対してローラの軸心を直角から変位させることによって、紙がローラに摩擦されて引っ張りテンションがかかった状態でプレスされるので、折皺が発生することを防止できる。
【００１６】
また、冊子の背へ対向するように配置した水平ローラを冊子の背へ圧接させて転動させることにより冊子の背が角型に成形され、特に頁数の多い冊子や紙厚の厚い冊子の場合に膨らみがなく見栄えのよい仕上がりが得られる。
【図面の簡単な説明】
【図１】本発明の実施の一形態を示し、紙折り装置の機構配置を示す側面図。
【図２】図1の紙折り装置の平面解説図。
【図３】他の実施形態を示す平面解説図。
【図４】他の実施形態を示し、紙折り装置の機構配置を示す側面図。
【図５】図4の紙折り装置の正面解説図。
【図６】他の実施形態を示し、紙折り装置の機構配置を示す側面図。
【図７】図6の紙折り装置の平面解説図。
【図８】従来例を示し、紙折り装置の機構配置を示す側面図。
【図９】従来例を示し、紙折り装置の冊子形成結果の解説図。
【符号の説明】
11     紙ガイド
12     ピンチローラ
13     紙テーブル
14     ローラ
15     円板ローラ
16     水平ローラ
17     クランプ
【図１】
2004196523.tif 000003
【図２】
2004196523.tif 000004
【図３】
2004196523.tif 000005
【図４】
2004196523.tif 000006
【図５】
2004196523.tif 000007
【図６】
2004196523.tif 000008
【図７】
2004196523.tif 000009
【図８】
2004196523.tif 000010
【図９】
2004196523.tif 000011